【手続補正書】
【提出日】平成17年3月9日(2005.3.9)
【手続補正１】
【補正対象書類名】明細書
【補正対象項目名】発明の名称
【補正方法】変更
【補正の内容】
【発明の名称】画像処理装置、デジタルカメラおよび画像処理方法
【手続補正２】
【補正対象書類名】明細書
【補正対象項目名】特許請求の範囲
【補正方法】変更
【補正の内容】
【特許請求の範囲】
【請求項１】
撮像手段と、
前記撮像手段によって撮像された第１の画像を格納する記憶手段と、
前記記憶手段から読み出された前記第１の画像に第２の画像を重ね合わせる第１の重ね合わせ手段と、
前記記憶手段から読み出された前記第１の画像に第３の画像を重ね合わせる第２の重ね合わせ手段と、
前記第２の画像が重ね合わされた前記第１の画像を表示する表示手段と、
前記第３の画像が重ね合わされた前記第１の画像を出力する出力手段とを備え、
前記撮像手段の位置状態に応じて、前記第２の画像を第１の方向に回転させてから、前記第１の画像に重ね合わせて前記表示手段に表示すると同時に、
前記第１の方向とは逆方向に回転させた前記第１の画像に、前記第３の画像を回転させずに重ね合わせて前記出力手段から出力することを特徴とする画像処理装置。
【請求項２】
前記第２の画像および前記第３の画像は同一の画像データであることを特徴とする請求項１記載の画像処理装置。
【請求項３】
撮像手段と、
前記撮像手段によって撮像された第１の画像を格納する記憶手段と、
前記記憶手段から読み出された前記第１の画像に第２の画像を重ね合わせる第１の重ね合わせ手段と、
前記記憶手段から読み出された前記第１の画像に第３の画像を重ね合わせる第２の重ね合わせ手段と、
前記第２の画像が重ね合わされた前記第１の画像を表示する表示手段と、
前記第３の画像が重ね合わされた前記第１の画像を出力する出力手段とを備え、
前記撮像手段の位置状態に応じて、前記第２の画像を第１の方向に回転させてから、前記第１の画像に重ね合わせて前記表示手段に表示すると同時に、
前記第１の方向とは逆方向に回転させた前記第１の画像に、前記第３の画像を回転させずに重ね合わせて前記出力手段から出力することを特徴とするデジタルカメラ。
【請求項４】
前記第２の画像および前記第３の画像は同一の画像データであることを特徴とする請求項３記載のデジタルカメラ。
【請求項５】
撮像手段と、前記撮像手段によって撮像された第１の画像を格納する記憶手段と、前記第１の画像を表示する表示手段と、前記第１の画像を出力する出力手段とを有する画像処理装置の画像処理方法であって、
前記記憶手段から読み出された前記第１の画像に第２の画像を重ね合わせる第１の重ね合わせステップと、
前記記憶手段から読み出された前記第１の画像に第３の画像を重ね合わせる第２の重ね合わせステップと、
前記第２の画像が重ね合わされた前記第１の画像を前記表示手段に表示する表示ステップと、
前記第３の画像が重ね合わされた前記第１の画像を前記出力手段から出力する出力ステップと、
前記第２の画像を回転させる第１の回転ステップと、
前記第１の画像を回転させる第２の回転ステップとを有し、
前記表示ステップでは、前記撮像手段の位置状態に応じて、前記第２の画像を第１の方向に回転させてから、前記第１の画像に重ね合わせて前記表示手段に表示すると同時に、前記出力ステップでは、前記第１の方向とは逆方向に回転させた前記第１の画像に、前記第３の画像を回転させずに重ね合わせて前記出力手段から出力することを特徴とする画像処理方法。
【請求項６】
撮像手段と、前記撮像手段によって撮像された第１の画像を格納する記憶手段と、前記第１の画像を表示する表示手段と、前記第１の画像を出力する出力手段とを有するデジタルカメラの画像処理方法であって、
前記記憶手段から読み出された前記第１の画像に第２の画像を重ね合わせる第１の重ね合わせステップと、
前記記憶手段から読み出された前記第１の画像に第３の画像を重ね合わせる第２の重ね合わせステップと、
前記第２の画像が重ね合わされた前記第１の画像を前記表示手段に表示する表示ステップと、
前記第３の画像が重ね合わされた前記第１の画像を前記出力手段から出力する出力ステップと、
前記第２の画像を回転させる第１の回転ステップと、
前記第１の画像を回転させる第２の回転ステップとを有し、
前記表示ステップでは、前記撮像手段の位置状態に応じて、前記第２の画像を第１の方向に回転させてから、前記第１の画像に重ね合わせて前記表示手段に表示すると同時に、前記出力ステップでは、前記第１の方向とは逆方向に回転させた前記第１の画像に、前記第３の画像を回転させずに重ね合わせて前記出力手段から出力することを特徴とする画像処理方法。
【請求項７】
前記第２の画像および前記第３の画像は同一の画像データであることを特徴とする請求項５または６記載の画像処理方法。
【手続補正３】
【補正対象書類名】明細書
【補正対象項目名】０００１
【補正方法】変更
【補正の内容】
【０００１】
【発明の属する技術分野】
本発明は、テレビジョン（ＴＶ）モニタや液晶表示パネルなどの映像出力装置に表示される映像信号を処理する画像処理装置、デジタルカメラおよび画像処理方法に関する。
【手続補正４】
【補正対象書類名】明細書
【補正対象項目名】００２１
【補正方法】変更
【補正の内容】
【００２１】
そこで、本発明はＴＶモニタおよび液晶表示パネルに同時に表示される映像を見やすくすることができる画像処理装置、デジタルカメラおよび画像処理方法を提供することを目的とする。
【手続補正５】
【補正対象書類名】明細書
【補正対象項目名】００２２
【補正方法】変更
【補正の内容】
【００２２】
【課題を解決するための手段】
上記目的を達成するために、本発明の請求項１に記載の画像処理装置は、撮像手段と、前記撮像手段によって撮像された第１の画像を格納する記憶手段と、前記記憶手段から読み出された前記第１の画像に第２の画像を重ね合わせる第１の重ね合わせ手段と、前記記憶手段から読み出された前記第１の画像に第３の画像を重ね合わせる第２の重ね合わせ手段と、前記第２の画像が重ね合わされた前記第１の画像を表示する表示手段と、前記第３の画像が重ね合わされた前記第１の画像を出力する出力手段とを備え、前記撮像手段の位置状態に応じて、前記第２の画像を第１の方向に回転させてから、前記第１の画像に重ね合わせて前記表示手段に表示すると同時に、前記第１の方向とは逆方向に回転させた前記第１の画像に、前記第３の画像を回転させずに重ね合わせて前記出力手段から出力することを特徴とする。
本発明の請求項３に記載のデジタルカメラは、撮像手段と、前記撮像手段によって撮像された第１の画像を格納する記憶手段と、前記記憶手段から読み出された前記第１の画像に第２の画像を重ね合わせる第１の重ね合わせ手段と、前記記憶手段から読み出された前記第１の画像に第３の画像を重ね合わせる第２の重ね合わせ手段と、前記第２の画像が重ね合わされた前記第１の画像を表示する表示手段と、前記第３の画像が重ね合わされた前記第１の画像を出力する出力手段とを備え、前記撮像手段の位置状態に応じて、前記第２の画像を第１の方向に回転させてから、前記第１の画像に重ね合わせて前記表示手段に表示すると同時に、前記第１の方向とは逆方向に回転させた前記第１の画像に、前記第３の画像を回転させずに重ね合わせて前記出力手段から出力することを特徴とする。
本発明の請求項５に記載の画像処理方法は、撮像手段と、前記撮像手段によって撮像された第１の画像を格納する記憶手段と、前記第１の画像を表示する表示手段と、前記第１の画像を出力する出力手段とを有する画像処理装置の画像処理方法であって、前記記憶手段から読み出された前記第１の画像に第２の画像を重ね合わせる第１の重ね合わせステップと、前記記憶手段から読み出された前記第１の画像に第３の画像を重ね合わせる第２の重ね合わせステップと、前記第２の画像が重ね合わされた前記第１の画像を前記表示手段に表示する表示ステップと、前記第３の画像が重ね合わされた前記第１の画像を前記出力手段から出力する出力ステップと、前記第２の画像を回転させる第１の回転ステップと、前記第１の画像を回転させる第２の回転ステップとを有し、前記表示ステップでは、前記撮像手段の位置状態に応じて、前記第２の画像を第１の方向に回転させてから、前記第１の画像に重ね合わせて前記表示手段に表示すると同時に、前記出力ステップでは、前記第１の方向とは逆方向に回転させた前記第１の画像に、前記第３の画像を回転させずに重ね合わせて前記出力手段から出力することを特徴とする。
本発明の請求項６に記載の画像処理方法は、撮像手段と、前記撮像手段によって撮像された第１の画像を格納する記憶手段と、前記第１の画像を表示する表示手段と、前記第１の画像を出力する出力手段とを有するデジタルカメラの画像処理方法であって、前記記憶手段から読み出された前記第１の画像に第２の画像を重ね合わせる第１の重ね合わせステップと、前記記憶手段から読み出された前記第１の画像に第３の画像を重ね合わせる第２の重ね合わせステップと、前記第２の画像が重ね合わされた前記第１の画像を前記表示手段に表示する表示ステップと、前記第３の画像が重ね合わされた前記第１の画像を前記出力手段から出力する出力ステップと、前記第２の画像を回転させる第１の回転ステップと、前記第１の画像を回転させる第２の回転ステップとを有し、前記表示ステップでは、前記撮像手段の位置状態に応じて、前記第２の画像を第１の方向に回転させてから、前記第１の画像に重ね合わせて前記表示手段に表示すると同時に、前記出力ステップでは、前記第１の方向とは逆方向に回転させた前記第１の画像に、前記第３の画像を回転させずに重ね合わせて前記出力手段から出力することを特徴とする。
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】変更
【補正の内容】
【００３０】
【発明の実施の形態】
本発明の画像処理装置、デジタルカメラおよび画像処理方法の実施の形態について説明する。図１は実施の形態における映像信号処理装置の構成を示すブロック図である。本実施形態の映像信号処理装置はディジタルカメラなどの撮像装置に適用される。図において、１はＣＣＤセンサであり、受光した映像を電気信号に変換する。２はＡ／Ｄ変換器であり、ＣＣＤセンサ１から出力されるアナログ映像信号をディジタル映像信号に変換する。
【手続補正１４】
【補正対象書類名】明細書
【補正対象項目名】００５６
【補正方法】変更
【補正の内容】
【００５６】
【発明の効果】
本発明によれば、ＴＶモニタや液晶表示パネルなどの表示手段に同時に表示される映像を見やすくすることができる。例えば、カメラなどを縦位置で撮影した場合、ＴＶモニタ上では映像を回転させることで被写体が横たわることなく正しい方向に表示され、同時に液晶表示パネルには映像を回転させないことで被写体を小さくせずに見やすい映像を表示することができる。したがって、縮小して回転させないので、画像が小さくなって見にくくなってしまうことを回避できる。
【手続補正１５】
【補正対象書類名】明細書
【補正対象項目名】００５７
【補正方法】変更
【補正の内容】
【００５７】
また、撮影に関する指示などの文字データを液晶パネル上に表示する場合、カメラなどを縦位置にした際、ＴＶモニタ上では文字を回転させないで表示することでＴＶの方向に合わせて文字を表示し、同時に液晶表示パネルには文字を回転させて表示することで撮影者がカメラと共に傾けた液晶表示パネルの方向に合わせて文字を表示することができるようになる。これにより、ＴＶモニタと液晶表示パネルの両方の表示が読みやすくなって操作性が向上する。
【手続補正１６】
【補正対象書類名】明細書
【補正対象項目名】００５８
【補正方法】削除
【補正の内容】
【手続補正１７】
【補正対象書類名】明細書
【補正対象項目名】００５９
【補正方法】削除
【補正の内容】
【手続補正１８】
【補正対象書類名】明細書
【補正対象項目名】００６０
【補正方法】削除
【補正の内容】
【手続補正１９】
【補正対象書類名】明細書
【補正対象項目名】００６１
【補正方法】削除
【補正の内容】
【手続補正２０】
【補正対象書類名】明細書
【補正対象項目名】００６２
【補正方法】削除
【補正の内容】